(57)【要約】  【課題】通信ネットワークを介して発注側から受注側に商品の発注を行う際の発注側の操作性、利便性の向上、発注側及び受注側の通信回数（通信費）の削減、受注側の処理負荷の削減などを図る。  【解決手段】受注側から発注側に配布される商品情報が掲載されたカタログやチラシ（印刷物２１）上に、複数の商品に係る情報をコード化した２次元バーコード２２を印刷する。携帯電話機（発注用端末）１１において、この２次元バーコードを撮像してコード解析することにより、複数の商品に係る情報が取り込まれ、さらに、複数の商品から任意の商品を選択することが可能な表示画面が表示される。ユーザによって選択された発注商品に係る情報は、通信ネットワーク１２を介して受注用サーバ１３に送信されることによって発注が行われる。また、複数の発注商品が存在する場合には、これらの複数の発注商品に係る情報が１回の送信動作で発注側から受注側に送信される。【選択図】  図１
2005234985.tif 000002
【特許請求の範囲】
【請求項１】
発注側から受注側に対して、前記受注側から配布された印刷物に掲載されている商品の中から所望の発注商品を選択して発注を行う際に利用され、前記受注側の所定の受注用サーバに対して、前記発注商品に係る情報を通信ネットワークを介して送信することによって、前記受注側に対して前記発注商品の発注を行うための前記発注側の発注用端末であって、
前記発注側のユーザに対して情報の表示を行う表示手段と、
前記ユーザが入力操作又は指示操作を行うための操作手段と、
前記印刷物に掲載されている複数の商品に係る情報がコード化された前記印刷物に掲載されている２次元コードを撮像するための撮像手段と、
前記撮像手段によって撮像された前記２次元コードのコード解析を行うコード解析手段と、
前記コード解析手段による前記コード解析によって取得された前記複数の商品に係る情報に基づいて、前記複数の商品に係る情報をすべて含み、前記ユーザが前記複数の商品の少なくとも１つを発注商品として選択するとともに、前記選択された発注商品の発注個数を入力するための表示用情報を作成する情報作成手段と、
前記表示手段に表示された前記表示用情報上で前記ユーザによって選択された前記発注商品及び前記発注個数に係る情報を格納するための情報格納手段と、
前記ユーザの指示によって、前記情報格納手段に格納されている前記発注商品及び前記発注個数に係る情報を、前記通信ネットワークを介して前記所定の受注用サーバに送信する情報送信手段とを、
有する発注用端末。
【請求項２】
発注側から受注側に対して、前記受注側から配布された印刷物に掲載されている商品の中から所望の発注商品を選択して発注を行う際に利用され、前記受注側の所定の受注用サーバに対して、前記発注商品に係る情報を通信ネットワークを介して送信することによって、前記受注側に対して前記発注商品の発注を行うための機能を前記発注側のコンピュータに実現させるための商品発注用プログラムであって、
前記印刷物に掲載されている複数の商品に係る情報がコード化された前記印刷物に掲載されている２次元コードが前記コンピュータに接続する所定の撮像手段によって撮像された前記２次元コードの撮像画像を取得する２次元コード撮像画像取得ステップと、
前記２次元コード撮像画像取得ステップで取得された撮像画像から、前記２次元コード内にコード化されている情報のコード解析を行うことによって、前記複数の商品に係る情報を取得するコード解析ステップと、
前記コード解析ステップによって取得された前記複数の商品に係る情報に基づいて、前記複数の商品に係る情報をすべて含み、前記コンピュータのユーザが前記複数の商品の少なくとも１つを前記発注商品として選択するとともに、前記選択された発注商品の発注個数を入力するための表示用情報を作成する情報作成ステップと、
前記コンピュータに接続する所定の表示手段に、前記表示用情報を表示する情報表示ステップと、
前記表示手段に表示された前記表示用情報上で前記ユーザによって選択された前記発注商品及び前記発注個数に係る情報を前記コンピュータの所定の情報格納手段に格納する情報格納ステップと、
前記ユーザの指示によって、前記所定の情報格納手段に格納されている前記発注商品及び前記発注個数に係る情報を、前記通信ネットワークを介して前記所定の受注用サーバに送信する発注ステップとを、
有する商品発注用プログラム。
【請求項３】
前記コード解析ステップにおいて、前記コード解析後に取得された情報が暗号化されている場合には、所定の復号処理を行って前記複数の商品に係る情報を取得するよう構成されている請求項２に記載の商品発注用プログラム。
【請求項４】
前記情報格納ステップの後、前記所定の撮像手段によって新たに２次元コードが撮像された場合には、前記所定の撮像手段によって新たに撮像された前記２次元コードの撮像画像を取得する第２の２次元コード撮像画像取得ステップと、
前記第２の２次元コード撮像画像取得ステップで取得された２次元コードの撮像画像から、前記２次元コード内にコード化されている情報のコード解析を行うことによって、前記複数の商品に係る情報を取得する第２のコード解析ステップと、
前記第２のコード解析ステップによって取得された前記複数の商品に係る情報に基づいて、前記複数の商品に係る情報をすべて含み、前記コンピュータのユーザが前記複数の商品の少なくとも１つを前記発注商品として選択するとともに、前記選択された発注商品の発注個数を入力するための新たな表示用情報を作成する第２の情報作成ステップと、
前記所定の表示手段に、前記新たな表示用情報を表示する情報表示ステップと、
前記表示手段に表示された前記新たな表示用情報上で前記ユーザによって選択された前記発注商品及び前記発注個数に係る情報を前記所定の情報格納手段に格納する第２の情報格納ステップとを有し、
前記発注ステップにおいて、前記所定の情報格納手段に格納されているすべての前記発注商品及び前記発注個数に係る情報を、前記通信ネットワークを介して前記所定の受注用サーバに一度に送信するよう構成されている請求項２又は３に記載の商品発注用プログラム。
【請求項５】
前記第２のコード解析ステップにおいて、前記コード解析後に取得された情報が暗号化されている場合には、所定の復号処理を行って前記複数の商品に係る情報を取得するよう構成されている請求項４に記載の商品発注用プログラム。
【請求項６】
前記発注商品及び前記発注個数に係る情報を送信した後、前記所定の受注用サーバから受注の完了を通知する情報を受信した場合には、前記ユーザに対して前記受注が完了した旨を報知する受注完了通知ステップを有する請求項２から５のいずれか１つに記載の商品発注用プログラム。
【請求項７】
請求項２から６のいずれか１つに記載の商品発注用プログラムがインストールされており、前記商品発注用プログラムを実行することが可能な発注用端末。
【請求項８】
請求項２から６のいずれか１つに記載の商品発注用プログラム、又は、前記商品発注用プログラムを取得するためのＵＲＬがコード化された２次元コードが印刷されている印刷物。
【請求項９】
発注側から受注側に対して、前記受注側から配布された印刷物に掲載されている商品の中から所望の発注商品を選択して発注を行う際に利用され、前記発注側の任意の発注用端末から前記発注商品に係る情報を通信ネットワークを介して受信することによって、前記発注側からの発注商品の受注を行うための前記受注側の受注用サーバであって、
前記発注用端末において、前記印刷物に掲載されている複数の商品に係る情報がコード化された前記印刷物に掲載されている２次元コードが撮像されてコード解析され、前記２次元コード内の前記複数の商品に係る情報に基づいて、前記複数の商品に係る情報をすべて含み、前記発注用端末のユーザが前記複数の商品の少なくとも１つを発注商品として選択するとともに、前記選択された発注商品の発注個数を入力するための表示用情報が作成されて所定の表示手段上に表示され、前記表示用情報上で前記ユーザによって前記発注商品及び前記発注個数が選択され、前記発注用端末から送信された前記発注商品及び前記発注個数に係る情報を受信する発注情報受信手段と、
前記発注商品及び前記発注個数に係る情報を送信した前記発注用端末に対して、前記発注商品の受注が完了した旨を通知する受注完了通知情報を送信する完了情報送信手段とを、
有する受注用サーバ。
【請求項１０】
発注側の発注用端末と受注側の受注用サーバとの間で通信ネットワークを介して通信が行われるよう構成されており、前記発注用端末から前記受注用サーバに対して、前記受注側から前記発注側に配布された印刷物に掲載されている商品の中から選択された発注商品に係る情報が通信ネットワークを介して送信されることによって、前記発注側から前記受注側に対して前記発注商品の発注が行われる商品受発注システムであって、
前記発注用端末が、
前記発注側のユーザに対して情報の表示を行う表示手段と、
前記ユーザが入力操作又は指示操作を行うための操作手段と、
前記印刷物に掲載されている複数の商品に係る情報がコード化された前記印刷物に掲載されている２次元コードを撮像する撮像手段と、
前記撮像手段によって撮像された前記２次元コードのコード解析を行うコード解析手段と、
前記コード解析手段による前記コード解析によって取得された前記複数の商品に係る情報に基づいて、前記複数の商品に係る情報をすべて含み、前記ユーザが前記複数の商品の少なくとも１つを前記発注商品として選択するとともに、前記選択された発注商品の発注個数を入力するための表示用情報を作成する情報作成手段と、
前記表示手段に表示された前記表示用情報上で前記ユーザによって選択された前記発注商品及び前記発注個数に係る情報を格納するための情報格納手段と、
前記ユーザの指示によって、前記情報格納手段に格納されている前記発注商品及び前記発注個数に係る情報を、前記通信ネットワークを介して前記所定の受注用サーバに送信する情報送信手段とを有し、
前記受注用サーバが、
前記発注用端末において、前記印刷物に掲載されている複数の商品に係る情報がコード化された前記印刷物に掲載されている２次元コードが撮像されてコード解析され、前記２次元コード内の前記複数の商品に係る情報に基づいて、前記複数の商品に係る情報をすべて含み、前記発注用端末のユーザが前記複数の商品の少なくとも１つを発注商品として選択するとともに、前記選択された発注商品の発注個数を入力するための表示用情報が作成されて所定の表示手段上に表示され、前記表示用情報上で前記ユーザによって前記発注商品及び前記発注個数が選択され、前記発注用端末から送信された前記発注商品及び前記発注個数に係る情報を受信する発注情報受信手段と、
前記発注商品及び前記発注個数に係る情報を送信した前記発注用端末に対して、前記発注商品の受注が完了した旨を通知する受注完了通知情報を送信する完了情報送信手段とを有する商品受発注システム。
【請求項１１】
郵送用に住所及び氏名が印刷されている郵送用ラベルとして利用される印刷物であって、
所定のサーバにアクセスするためのＵＲＬがコード化された領域を有する２次元コードが印刷されている郵送用ラベルとして利用される印刷物。
【請求項１２】
郵送用に住所及び氏名が印刷されている郵送用ラベルとして利用される印刷物であって、
所定のサーバにアクセスするためのＵＲＬと、前記住所及び氏名で特定される者の個人情報及び／又は識別情報とが、それぞれコード化された領域を有する２次元コードが印刷されている郵送用ラベルとして利用される印刷物。
【発明の詳細な説明】
【技術分野】
【０００１】
発注側のユーザがカタログやチラシなどの印刷物に印刷された商品情報を参照しながら、通信ネットワークを介して、受注側（商品販売側）に対して所望の発注商品を発注する際に利用される発注用端末、商品発注用プログラム、受注用サーバ、商品受発注システム並びに印刷物に関する。
【背景技術】
【０００２】
従来、インターネットなどのネットワークを介して商品の受発注を行う通信販売システムが存在している。こうした通信ネットワークを介する通信販売システムには、例えば、ユーザが、ＰＣ（Personal Computer）や携帯電話機などを用いて、商品販売側によってＷｅｂサイト上に公開された商品紹介用Ｗｅｂページを閲覧して、通信ネットワークを介して所望の商品を発注するシステムや、ユーザが、カタログやチラシなどの印刷物に印刷された商品情報を閲覧しながら、ＰＣや携帯電話機などを用いて、通信ネットワークを介して所望の商品を発注するシステムなどが存在する。このうち、印刷物に印刷された商品情報を閲覧して所望の商品の発注を行うことが可能な後者のシステムは、ユーザに対して見やすく分かりやすい形で、印刷物による商品情報の紹介を行うことができるというメリットがある。
【０００３】
また、このようにユーザが印刷物に印刷された商品情報から所望の商品を選択して発注する際に、商品情報の入力を容易、かつ、正確に行えるようにする様々な技術が存在する。例えば、下記の特許文献１には、カタログに印刷されている商品に係るバーコードが発注用端末（バーコードリーダ）によってスキャン（走査）されて、通信ネットワークを介して受注処理データセンタに送られ、この受注処理データセンタにおいて適切な販売元の受注端末に発注情報が振り分けられる通信販売システムが開示されている。また、下記の特許文献２には、バーコードリーダを内蔵したＰＣや携帯電話機によって、受注用サーバのＵＲＬ（Uniform Resource Locator）情報に対応したバーコードと共に、各商品情報に対応したバーコードの中から所望の商品情報に対応したバーコードがスキャンされて、通信ネットワークを介して受注用サーバに送信され、商品販売側のサーバから商品の発注を確認させるための注文受付確認画像を受信する商品受発注システムが開示されている。
【特許文献１】特開２００３−１４１３７８号公報（段落００２７〜００５９、図１、図３〜図５）
【特許文献２】特開２００３−２２８６６５号公報（段落００３７〜００６５、図１〜図３）
【０００４】
これらの特許文献１や特許文献２に開示されている技術の特徴を図示すると、図１４に示すように表される。すなわち、印刷物に印刷されたバーコードを使用する従来の通信販売システムでは、ユーザは、発注用端末（バーコードリーダ）５０１を用いて、カタログやチラシなどの印刷物５０４に印刷された各商品の中から所望の商品（発注する商品）のバーコード５０５をスキャンして、発注する商品情報を発注用端末５０１内に取り込み、所定の受注用サーバに対して、バーコード５０５のスキャンによって取り込んだ商品情報に係る発注情報を送信する。
【０００５】
また、図１５は、図１４に示す通信販売システムの動作の一例を示すシーケンスチャートである。まず、発注用端末５０１は受注用サーバ５０３が提供する通信販売のＷｅｂサイトにアクセスし（ステップＳ５２１：サイトへのアクセス）、受注用サーバ５０３は、発注用端末５０１に対してトップページを送信する（ステップＳ５２３：トップページを送信）。このとき、例えば、所定の受注用サーバ５０３のＵＲＬ情報をバーコードにて取り込んで、受注用サーバ５０３によって提供されているＷｅｂサイトにアクセスしてもよい。
【０００６】
さらに、発注用端末５０１は、あらかじめ登録されているＩＤ及びパスワードを入力して受注用サーバ５０３に送信し（ステップＳ５２５：ＩＤ、パスワードを入力、送信）、受注用サーバ５０３は認証を行って、商品の発注を可能とする発注画面ページを発注用端末５０１に送信する（ステップＳ５２７：ログイン認証後、発注画面ページを送信）。
【０００７】
ユーザは、発注用端末５０１に内蔵するバーコードリーダを用いて、印刷物に印刷されている所望の商品のバーコードをスキャンして商品情報を取り込んだ後、この商品情報を受注用サーバ５０３に送信する（ステップＳ５２９：所望の商品のバーコードをスキャンし、商品情報を送信）。受注用サーバ５０３は、この商品情報に応じた商品確認ページを発注用端末５０１に送信し（ステップＳ５３１：商品確認ページを送信）、発注用端末５０１では、さらに発注する商品の個数（発注個数）を入力して受注用サーバ５０３に送信する（ステップＳ５３３：発注する商品の個数を入力、送信）。そして、受注用サーバ５０３は、ユーザが発注する商品情報と発注個数情報とが記載された仮注文ページを発注用端末５０１に送信する（ステップＳ５３５：仮注文ページを送信）。
【０００８】
上記のステップＳ５２９〜Ｓ５３５の一連の処理によって、ある１つの商品及び発注個数が定められ、所定の商品の発注の準備が完了することになる。続いて、他の商品に関して注文が行われる場合には、再び、他の商品に関して上記のステップＳ５２９〜Ｓ５３５の一連の処理が行われる。すなわち、発注する商品の種類がＮ個の場合には、上記のステップＳ５２９〜Ｓ５３５の一連の処理がＮ回繰り返し行われる。この場合、例えば、ショッピングカート形式に従って、発注商品に係る情報が蓄積される。所望の商品のすべてに関して上記のステップＳ５２９〜Ｓ５３５の一連の処理が行われた後、発注用端末５０１から発注を行う旨の指示（最終発注指示）が受注用サーバ５０３に送信された場合（ステップＳ５３７：最終発注指示を送信）には、一連の処理によって発注された商品を受注して、受注を完了した旨を通知する受注完了通知ページを発注用端末５０１に送信する（ステップＳ５３９：受注完了通知ページを送信）とともに、例えば、クレジットカード会社に属する決済サーバに対して、ユーザに対する商品の対価の決済を要求する（図示せず）。
【発明の開示】
【発明が解決しようとする課題】
【０００９】
しかしながら、従来のシステムでは、複数の商品情報のそれぞれに対応してバーコードを準備する必要があり、大量のバーコードを印刷物上に印刷しなければならず、印刷物上にバーコードが煩雑に印刷されることとなる。例えば、ある衣服がカタログに記載されている場合には、この衣服の色やサイズなどのパターンに応じてバーコードを準備しなければならず、この衣服に白、黒、グレーの３色のカラーパターン及びＳ、Ｍ、Ｌの３つのサイズパターンが存在する場合には、９通りのバーコードを準備する必要がある。
【００１０】
一方、このような煩雑なバーコード印刷を避けるため、所定の商品（上記の例では、ある衣服）に関して１つのバーコードを準備しておき、発注用端末でバーコードがスキャンされて受注用サーバに商品情報が送信された場合にのみ、上記のパターンに関する詳細な情報が受注用サーバから発注用端末に送信されるようにし、ユーザは、所望の商品パターンを更に絞り込んで、商品の発注を行えるようにすることも可能である。しかしながら、この方法では、所定の商品に係る詳細な情報に関しては、常に、発注用端末から受注用サーバに問い合わせが行われることになる。この結果、ユーザに対して、商品を選択する際の面倒な操作を繰り返し要求することになり、また、受注用サーバの処理の負荷が増大するとともに、発注用端末と受注用サーバとの間の通信におけるデータ容量も増大して、ユーザが支払う通信料（パケット料）も増大してしまうことになる。
【００１１】
上記課題に鑑み、本発明は、発注側のユーザがカタログやチラシなどの印刷物に印刷された商品情報を参照しながら、通信ネットワークを介して、受注側（商品販売側）に対して所望の発注商品を発注する際に、発注側にとっては利便性の向上及び無駄な通信費の削減を実現し、受注側にとっては印刷物上に商品情報を効率よく掲載できるようになるとともに、処理の負荷の軽減を実現する発注用端末、商品発注用プログラム、受注用サーバ、商品受発注システム並びに印刷物を提供することを目的とする。
【課題を解決するための手段】
【００１２】
上記目的を達成するため、本発明の発注用端末は、発注側から受注側に対して、前記受注側から配布された印刷物に掲載されている商品の中から所望の発注商品を選択して発注を行う際に利用され、前記受注側の所定の受注用サーバに対して、前記発注商品に係る情報を通信ネットワークを介して送信することによって、前記受注側に対して前記発注商品の発注を行うための前記発注側の発注用端末であって、
前記発注側のユーザに対して情報の表示を行う表示手段と、
前記ユーザが入力操作又は指示操作を行うための操作手段と、
前記印刷物に掲載されている複数の商品に係る情報がコード化された前記印刷物に掲載されている２次元コードを撮像するための撮像手段と、
前記撮像手段によって撮像された前記２次元コードのコード解析を行うコード解析手段と、
前記コード解析手段による前記コード解析によって取得された前記複数の商品に係る情報に基づいて、前記複数の商品に係る情報をすべて含み、前記ユーザが前記複数の商品の少なくとも１つを発注商品として選択するとともに、前記選択された発注商品の発注個数を入力するための表示用情報を作成する情報作成手段と、
前記表示手段に表示された前記表示用情報上で前記ユーザによって選択された前記発注商品及び前記発注個数に係る情報を格納するための情報格納手段と、
前記ユーザの指示によって、前記情報格納手段に格納されている前記発注商品及び前記発注個数に係る情報を、前記通信ネットワークを介して前記所定の受注用サーバに送信する情報送信手段とを有している。
上記構成により、発注側において、１つの２次元コードにコード化された商品に係る複数の情報の中から、所望の発注商品のみを選択し、通信ネットワークを介して受注側に発注することができ、発注側のユーザの利便性が向上する。
【００１３】
また、上記目的を達成するため、本発明の商品発注用プログラムは、発注側から受注側に対して、前記受注側から配布された印刷物に掲載されている商品の中から所望の発注商品を選択して発注を行う際に利用され、前記受注側の所定の受注用サーバに対して、前記発注商品に係る情報を通信ネットワークを介して送信することによって、前記受注側に対して前記発注商品の発注を行うための機能を前記発注側のコンピュータに実現させるための商品発注用プログラムであって、
前記印刷物に掲載されている複数の商品に係る情報がコード化された前記印刷物に掲載されている２次元コードが前記コンピュータに接続する所定の撮像手段によって撮像された前記２次元コードの撮像画像を取得する２次元コード撮像画像取得ステップと、
前記２次元コード撮像画像取得ステップで取得された撮像画像から、前記２次元コード内にコード化されている情報のコード解析を行うことによって、前記複数の商品に係る情報を取得するコード解析ステップと、
前記コード解析ステップによって取得された前記複数の商品に係る情報に基づいて、前記複数の商品に係る情報をすべて含み、前記コンピュータのユーザが前記複数の商品の少なくとも１つを前記発注商品として選択するとともに、前記選択された発注商品の発注個数を入力するための表示用情報を作成する情報作成ステップと、
前記コンピュータに接続する所定の表示手段に、前記表示用情報を表示する情報表示ステップと、
前記表示手段に表示された前記表示用情報上で前記ユーザによって選択された前記発注商品及び前記発注個数に係る情報を前記コンピュータの所定の情報格納手段に格納する情報格納ステップと、
前記ユーザの指示によって、前記所定の情報格納手段に格納されている前記発注商品及び前記発注個数に係る情報を、前記通信ネットワークを介して前記所定の受注用サーバに送信する発注ステップとを有している。
上記構成により、発注側において、１つの２次元コードにコード化された商品に係る複数の情報の中から、所望の発注商品のみを選択し、通信ネットワークを介して受注側に発注することができ、発注側のユーザの利便性が向上する。
【００１４】
さらに、本発明の商品発注用プログラムは、前記コード解析ステップにおいて、前記コード解析後に取得された情報が暗号化されている場合には、所定の復号処理を行って前記複数の商品に係る情報を取得するよう構成されている。
上記構成により、特定の暗復号化処理を行うことができる発注用端末のみ、商品に係る情報を意味のある情報として取得することが可能となる。
【００１５】
さらに、本発明の商品発注用プログラムは、前記情報格納ステップの後、前記所定の撮像手段によって新たに２次元コードが撮像された場合には、前記所定の撮像手段によって新たに撮像された前記２次元コードの撮像画像を取得する第２の２次元コード撮像画像取得ステップと、
前記第２の２次元コード撮像画像取得ステップで取得された２次元コードの撮像画像から、前記２次元コード内にコード化されている情報のコード解析を行うことによって、前記複数の商品に係る情報を取得する第２のコード解析ステップと、
前記第２のコード解析ステップによって取得された前記複数の商品に係る情報に基づいて、前記複数の商品に係る情報をすべて含み、前記コンピュータのユーザが前記複数の商品の少なくとも１つを前記発注商品として選択するとともに、前記選択された発注商品の発注個数を入力するための新たな表示用情報を作成する第２の情報作成ステップと、
前記所定の表示手段に、前記新たな表示用情報を表示する情報表示ステップと、
前記表示手段に表示された前記新たな表示用情報上で前記ユーザによって選択された前記発注商品及び前記発注個数に係る情報を前記所定の情報格納手段に格納する第２の情報格納ステップとを有し、
前記発注ステップにおいて、前記所定の情報格納手段に格納されているすべての前記発注商品及び前記発注個数に係る情報を、前記通信ネットワークを介して前記所定の受注用サーバに一度に送信するよう構成されている。
上記構成により、異なる２次元コードにコード化されている複数の商品を発注する場合でも、発注の際の操作の手間や通信費を大幅に削減することができる。
【００１６】
さらに、本発明の商品発注用プログラムは、前記第２のコード解析ステップにおいて、前記コード解析後に取得された情報が暗号化されている場合には、所定の復号処理を行って前記複数の商品に係る情報を取得するよう構成されている。
上記構成により、特定の暗復号化処理を行うことができる発注用端末のみ、商品に係る情報を意味のある情報として取得することが可能となる。
【００１７】
さらに、本発明の商品発注用プログラムは、前記発注商品及び前記発注個数に係る情報を送信した後、前記所定の受注用サーバから受注の完了を通知する情報を受信した場合には、前記ユーザに対して前記受注が完了した旨を報知する受注完了通知ステップを有している。
上記構成により、発注商品及び発注個数に係る情報の送信と、受注の完了を通知する情報の受信とをそれぞれ一回ずつ行うことによって、発注動作が完了し、発注の際の操作の手間や通信費を大幅に削減することができる。
【００１８】
また、上記目的を達成するため、本発明では、上記の商品発注用プログラムがインストールされており、前記商品発注用プログラムを実行することが可能な発注用端末が提供される。
【００１９】
また、上記目的を達成するため、本発明では、上記の商品発注用プログラム、又は、前記商品発注用プログラムを取得するためのＵＲＬがコード化された２次元コードが印刷されている印刷物が提供される。
【００２０】
また、上記目的を達成するため、本発明の受注用サーバは、発注側から受注側に対して、前記受注側から配布された印刷物に掲載されている商品の中から所望の発注商品を選択して発注を行う際に利用され、前記発注側の任意の発注用端末から前記発注商品に係る情報を通信ネットワークを介して受信することによって、前記発注側からの発注商品の受注を行うための前記受注側の受注用サーバであって、
前記発注用端末において、前記印刷物に掲載されている複数の商品に係る情報がコード化された前記印刷物に掲載されている２次元コードが撮像されてコード解析され、前記２次元コード内の前記複数の商品に係る情報に基づいて、前記複数の商品に係る情報をすべて含み、前記発注用端末のユーザが前記複数の商品の少なくとも１つを発注商品として選択するとともに、前記選択された発注商品の発注個数を入力するための表示用情報が作成されて所定の表示手段上に表示され、前記表示用情報上で前記ユーザによって前記発注商品及び前記発注個数が選択され、前記発注用端末から送信された前記発注商品及び前記発注個数に係る情報を受信する発注情報受信手段と、
前記発注商品及び前記発注個数に係る情報を送信した前記発注用端末に対して、前記発注商品の受注が完了した旨を通知する受注完了通知情報を送信する完了情報送信手段とを有している。
上記構成により、受注側は、１つの２次元コードにコード化された商品に係る複数の情報の中から選択された所望の発注商品及び発注個数に係る情報を発注側から受信できるので、受注側の処理の負荷が軽減され、さらに、受注側で作成する印刷物上に商品情報を効率よく掲載することが可能となる。
【００２１】
また、上記目的を達成するため、本発明の商品受発注システムは、発注側の発注用端末と受注側の受注用サーバとの間で通信ネットワークを介して通信が行われるよう構成されており、前記発注用端末から前記受注用サーバに対して、前記受注側から前記発注側に配布された印刷物に掲載されている商品の中から選択された発注商品に係る情報が通信ネットワークを介して送信されることによって、前記発注側から前記受注側に対して前記発注商品の発注が行われる商品受発注システムであって、
前記発注用端末が、
前記発注側のユーザに対して情報の表示を行う表示手段と、
前記ユーザが入力操作又は指示操作を行うための操作手段と、
前記印刷物に掲載されている複数の商品に係る情報がコード化された前記印刷物に掲載されている２次元コードを撮像する撮像手段と、
前記撮像手段によって撮像された前記２次元コードのコード解析を行うコード解析手段と、
前記コード解析手段による前記コード解析によって取得された前記複数の商品に係る情報に基づいて、前記複数の商品に係る情報をすべて含み、前記ユーザが前記複数の商品の少なくとも１つを前記発注商品として選択するとともに、前記選択された発注商品の発注個数を入力するための表示用情報を作成する情報作成手段と、
前記表示手段に表示された前記表示用情報上で前記ユーザによって選択された前記発注商品及び前記発注個数に係る情報を格納するための情報格納手段と、
前記ユーザの指示によって、前記情報格納手段に格納されている前記発注商品及び前記発注個数に係る情報を、前記通信ネットワークを介して前記所定の受注用サーバに送信する情報送信手段とを有し、
前記受注用サーバが、
前記発注用端末において、前記印刷物に掲載されている複数の商品に係る情報がコード化された前記印刷物に掲載されている２次元コードが撮像されてコード解析され、前記２次元コード内の前記複数の商品に係る情報に基づいて、前記複数の商品に係る情報をすべて含み、前記発注用端末のユーザが前記複数の商品の少なくとも１つを発注商品として選択するとともに、前記選択された発注商品の発注個数を入力するための表示用情報が作成されて所定の表示手段上に表示され、前記表示用情報上で前記ユーザによって前記発注商品及び前記発注個数が選択され、前記発注用端末から送信された前記発注商品及び前記発注個数に係る情報を受信する発注情報受信手段と、
前記発注商品及び前記発注個数に係る情報を送信した前記発注用端末に対して、前記発注商品の受注が完了した旨を通知する受注完了通知情報を送信する完了情報送信手段とを有している。
上記構成により、発注側のユーザがカタログやチラシなどの印刷物に印刷された商品情報を参照しながら、通信ネットワークを介して、受注側に対して所望の発注商品を発注する際に、発注側にとっては利便性の向上及び無駄な通信費の削減を実現し、受注側にとっては印刷物上に商品情報を効率よく掲載することが可能となるとともに、処理の負荷の軽減を実現する。
【００２２】
また、上記目的を達成するため、本発明の印刷物は、郵送用に住所及び氏名が印刷されている郵送用ラベルとして利用される印刷物であって、
所定のサーバにアクセスするためのＵＲＬがコード化された領域を有する２次元コードが印刷されている。
上記構成により、郵送用ラベルに印刷された２次元コードを撮像してコード解析を行うことによって、所定のサーバにアクセスするためのＵＲＬをコンピュータ内に取り込むことが容易となる。
【００２３】
また、上記目的を達成するため、本発明の印刷物は、郵送用に住所及び氏名が印刷されている郵送用ラベルとして利用される印刷物であって、
所定のサーバにアクセスするためのＵＲＬと、前記住所及び氏名で特定される者の個人情報及び／又は識別情報とが、それぞれコード化された領域を有する２次元コードが印刷されている。
上記構成により、郵送用ラベルに印刷された２次元コードを撮像してコード解析を行うことによって、所定のサーバにアクセスするためのＵＲＬや、特定の者の個人情報及び／又は識別情報をコンピュータ内に取り込むことが容易となる。
【発明の効果】
【００２４】
本発明の発注用端末、商品発注用プログラム、受注用サーバ、商品受発注システム並びに印刷物を上述のように構成することにより、発注側のユーザがカタログやチラシなどの印刷物に印刷された商品情報を参照しながら、通信ネットワークを介して、受注側（商品販売側）に対して所望の発注商品を発注する際に、発注側にとっては利便性の向上及び無駄な通信費の削減を実現し、受注側にとっては印刷物上に商品情報を効率よく掲載することが可能となるとともに、処理の負荷の軽減を実現することが可能となる。
【発明を実施するための最良の形態】
【００２５】
以下、図面を参照しながら、本発明の実施の形態について説明する。まず、図１及び図２を参照しながら、本発明の実施の形態における商品受発注システムの構成及び携帯電話機の構成について説明する。図１は、本発明の実施の形態における商品受発注システムの概要を示す図である。図１に示す商品受発注システムは、インターネットなどの通信ネットワーク１２を介して、携帯電話機（発注用端末）１１と受注用サーバ１３とが通信可能なように接続されており、さらに、専用回線によって、受注用サーバ１３が通販会社サーバ１４及び金融機関サーバ１５と通信可能なように接続されている構成を有している。なお、図１にも図示されているように、便宜上、商品を購入するユーザが存在する側を発注側と呼び、商品を販売する商品販売業者が存在する側を受注側と呼ぶこともある。
【００２６】
発注側の携帯電話機（発注用端末）１１は、図２を用いて後で説明するように、外部の被写体を撮像することができるカメラ（図２の撮像部３７）を有しており、さらに、このカメラによって撮像される２次元コード（以下、２次元バーコードと呼ぶ）の画像を解析する機能を有する携帯電話機１１である。なお、後述のように、発注用端末１１は、携帯電話機１１を始めとして、ＰＤＡ（Personal Digital Assistance）、ＰＣ、当該商品受発注システム用に開発された専用端末などの様々なコンピュータによって実現可能である。
【００２７】
また、受注用サーバ１３は、携帯電話機１１から送られてくる商品の発注情報を解析する機能を有している。受注用サーバ１３は、携帯電話機１１から発注情報を受信した場合には、各ユーザの商品購入履歴や個人情報などを管理する通販会社サーバ１４に対してユーザが発注を行った商品の情報（発注商品一覧情報）を送信し、発注商品に係る決済を行うための決済情報を金融機関サーバ１５に対して送信するとともに、携帯電話機１１に対して、商品の受注を行った旨を通知する商品受注完了情報を送信する。
【００２８】
なお、図１では、受注用サーバ１３と通販会社サーバ１４及び金融機関サーバ１５とが専用回線によって接続されているが、例えば、インターネットなどの通信ネットワーク１２を介して接続されてもよい。また、図１では、受注用サーバ１３、通販会社サーバ１４、金融機関サーバ１５がそれぞれ別々のサーバとして図示されているが、受注用サーバ１３と、通販会社サーバ１４及び／又は金融機関サーバ１５とを、同一の場所に設置したり、同一のサーバによって運用したりすることも可能である。また、通販会社サーバ１４及び金融機関サーバ１５がそれぞれ１台ずつ図示されているが、商品の種類によって複数の異なる通販会社サーバ１４が設置されたり、クレジットカードを扱う金融機関に応じて複数の異なる金融機関サーバ１５が設置されたりしてもよい。
【００２９】
また、発注側で扱っている商品の一覧を掲載したチラシやカタログなどの印刷物２１は、受注側に属する印刷会社１６で作成されて、発注側の各ユーザに配布される。発注側のユーザは、受注側から配布された印刷物２１を参照して、印刷物２１に印刷されている２次元バーコード２２を携帯電話機１１で読み取り（スキャンし）、通信ネットワーク１２を通じて、携帯電話機１１から受注用サーバ１３に対して、所望の商品に係る情報を送信することによって商品の発注を行う。
【００３０】
次に、図２を参照しながら、携帯電話機１１の構成について説明する。図２は、本発明の実施の形態における携帯電話機の構成を示す図である。図２に示す携帯電話機１１は、ＣＰＵ（Central Processing Unit：中央演算処理装置）３１、ＲＡＭ（Random Access Memory：ランダムアクセスメモリ）３２、ＲＯＭ（Read Only Memory：リードオンリメモリ）３３、表示部３４、操作部３５、通信部３６、撮像部３７、音声入力部３８、音声出力部３９、プログラム格納媒体４０を有しており、それぞれが内部バス５０によって接続されている。
【００３１】
携帯電話機１１を構成する各構成要素は、それぞれ以下の機能を有している。ＣＰＵ３１は、携帯電話機１１内における主要な処理や、各構成要素の動作制御などを行う処理手段である。また、ＲＡＭ３２、ＲＯＭ３３は、携帯電話機１１で動作するプログラム、表示部３４に表示するための静止画や動画の画像データ、音声出力部３９から出力するための音声データなどを格納したり、情報処理過程における作業領域を提供したりすることが可能な情報格納手段である。
【００３２】
なお、この携帯電話機１１には、出荷時に、２次元バーコードの画像を解析する機能が設けられており、２次元バーコードの解析を行うためのバーコード解析用プログラム４１がＲＯＭ３３にあらかじめ格納されているものとする。このバーコード解析用プログラム４１は、ＣＰＵ３１によって実行され、携帯電話機１１における２次元バーコードの解析機能が実現される。
【００３３】
また、表示部３４は、携帯電話機１１のユーザに対して視覚的に情報を報知するための手段であり、例えば、ＬＣＤ（Liquid Crystal Display：液晶ディスプレイ）などの表示画面や、表示画面に情報を表示するための表示用ドライバなどを含むものである。また、操作部３５は、ユーザによる携帯電話機１１の操作や情報入力などを可能とする手段であり、携帯電話機１１の筐体に設置されたテンキー（「０」〜「９」までの数字や「＊」、「＃」などが割り当てられたボタンの配列）、上下左右キーや決定キーなどを有するナビゲーションキー、テンキーやナビゲーションキーの操作を電気信号に変換するインターフェイスなどを含むものである。
【００３４】
また、通信部３６は、公衆電話回線網やパケット網などの通信ネットワーク１２に接続して通信を行うための通信処理手段やアンテナなどを含むものであり、他の電話機との通話、電子メールの送受信、Ｗｅｂページの閲覧などにおけるデータの送受信を可能とする手段である。また、撮像部３７は、静止画像や動画像の撮像を可能とする撮像手段であり、例えば、携帯電話機１１の筐体に設けられたカメラや、当該カメラの動作を制御するための撮像用ドライバなどを含むものである。また、音声入力部３８は、ユーザが発した声を始めとする外部音声を取得することが可能なマイクロホンなどにより実現され、音声出力部３９は、ユーザに対して聴覚的に音声を報知するためのスピーカなどにより実現される。
【００３５】
また、プログラム格納媒体４０は、例えば、内蔵型又は可搬型の情報格納媒体であり、不揮発性半導体メモリなどによって実現される。なお、ここでは、本発明に係る動作に必要不可欠な商品発注用プログラム４２は、このプログラム格納媒体４０に格納されるものとする。この商品発注用プログラム４２は、バーコード解析用プログラム４１と同様に、ＣＰＵ３１によって実行可能なプログラムであり、受注側の所定サーバ（例えば、受注用サーバ１３）からダウンロードされる。また、特に、プログラム格納媒体４０が内蔵型の情報格納媒体の場合には、プログラム格納媒体４０とＲＡＭ３２とは同一の機能を有するものとなり、すなわち、プログラム格納媒体４０をＲＡＭ３２によって実現し、商品発注用プログラム４２をＲＡＭ３２に格納することも可能である。また、図２ではＲＯＭ３３に格納されているバーコード解析用プログラム４１を、プログラム格納媒体４０に格納することも可能である。
【００３６】
次に、図１に示す商品受発注システムにおける動作について説明する。本発明に係る動作は、受注側から発注側に対して印刷物２１が配布され、発注側のユーザが商品受発注システムに係る通信販売を利用するための登録を行って、商品の発注処理に必要な商品発注用プログラムをダウンロードする第１の段階（初期登録段階）と、印刷物２１に掲載されている商品の中から所望の商品を選択し、発注側から受注側に対して所望の商品を注文する第２の段階（商品受発注段階）に大きく分けられる。
【００３７】
＜初期登録段階＞
まず、印刷物２１の配布方法及びユーザによるオンライン登録（通信ネットワーク１２を介した登録）について説明する。２次元バーコード２２が掲載された印刷物２１は、特定の人に対する郵送などや、不特定多数の人に対する手渡しでの配布などによって、発注側に属するユーザの手に渡る。ユーザは、この印刷物２１を参照して、印刷物２１に掲載されている商品の中から所望の商品を選択して、通信ネットワーク１２を介して注文を行うが、特に、初めて商品を購入するユーザは、商品受発注システムに係る通信販売を利用するための登録を行うことが望ましい。
【００３８】
従来、こうしたオンライン登録では、発注用端末（ここでは、携帯電話機１１）を用いて所定の登録用サーバに対してアクセスし、住所、氏名、年齢やクレジットカード番号などの入力操作及び送信操作を行うことによって登録が行われる。しかしながら、こうした面倒な入力操作を省いてユーザの利便性を向上させるために、本発明では、２次元バーコードを活用することも可能である。なお、上記の登録用サーバは、例えば、図１に示す受注用サーバ１３と同一のサーバで実現することもでき、以下では、オンライン登録が受注用サーバ１３で行われるものとして説明する。
【００３９】
図３は、本発明の実施の形態において用いられる郵送用ラベルの一例を示す図である。なお、図３に示す郵送用ラベル５１は、例えば、印刷会社１６で印刷可能な印刷物であり、郵送物に貼付されるものである。この郵送用ラベル５１には、郵送に必要な情報（郵便番号、住所、氏名）のほかに、２次元バーコード５２が印刷されている。郵送用ラベル５１に印刷された２次元バーコード５２には、オンライン登録を行うための登録用サーバ（受注用サーバ１３）のＵＲＬが少なくとも含まれている。携帯電話機１１によって２次元バーコード５２が撮像され、携帯電話機１１のバーコード解析用プログラム４１により２次元バーコード５２の撮像画像が解析されることによって、２次元バーコード５２に含まれている受注用サーバ１３のＵＲＬが携帯電話機１１内に供給される。これにより、ユーザは、受注用サーバ１３のＵＲＬを手入力することなく、携帯電話機１１から受注用サーバ１３へのアクセスを行うことができる。
【００４０】
さらに、例えば、２次元バーコード５２にユーザの個人情報（郵便番号、住所、氏名）や、ユーザの会員番号などの識別情報を含ませることも可能である。また、特に、発注側が提供する通信販売を利用して商品を購入したことがあるユーザに関しては、その商品購入時に割り当てられたユーザの会員番号などを２次元バーコード５２に含ませることも可能である。このように、２次元バーコード５２にユーザの個人情報や識別情報が含まれている場合には、携帯電話機１１による２次元バーコードの撮像によって、２次元バーコード５２に含まれているユーザの個人情報や識別情報が携帯電話機１１内に供給される。このとき、必要に応じて、ユーザは個人情報の修正を行うことも可能である。これにより、ユーザは、自分の個人情報や識別情報を手入力することなく、携帯電話機１１内に取り込ませることが可能となり、さらに、例えば、オンライン登録時に、受注用サーバ１３に個人情報を送信することも可能となる。
【００４１】
なお、オンライン登録時には、まず、携帯電話機１１を用いて、受注用サーバ１３のＵＲＬにアクセスして所定の登録用ページを受信及び表示する段階と、その後、登録用ページの所定箇所に個人情報、会員番号やクレジットカード番号などを入力して送信する段階とが存在する。したがって、受注用サーバ１３のＵＲＬとユーザの個人情報及び／又は識別情報を同一の２次元バーコードにコード化する場合には、それぞれの情報を異なる段階で受注用サーバ１３に送信できるような工夫を施すことが望ましい。
【００４２】
例えば、異なる複数の情報と共に２次元バーコード５２内に格納され、撮像及びコード解析を経て、異なる複数の情報と共に携帯電話機１１に取り込まれた後、異なる複数の情報のそれぞれを識別して、それぞれの情報を別々に抽出する処理を行うプログラムを準備し、受注用サーバ１３のＵＲＬや、ユーザの個人情報及び／又は識別情報のコード化の際に、上記のプログラムを一緒にコード化して、同一の２次元バーコード５２に含ませておく。
【００４３】
これにより、２次元バーコード５２の撮像及びコード解析によって、受注用サーバ１３のＵＲＬや、ユーザの個人情報及び／又は識別情報と共に上記のプログラムが取り込まれ、このプログラムの起動によって、携帯電話機１１が受注用サーバ１３にアクセスする段階では、受注用サーバ１３のＵＲＬのみが抽出され、登録用ページにユーザの個人情報や識別情報を入力する段階では、ユーザの個人情報や識別情報のみが抽出され、登録用ページの所定箇所に自動的に入力されるようになる。なお、受注用サーバ１３のＵＲＬやユーザの個人情報及び／又は識別情報を格納するデータ領域の容量を規定したり、受注用サーバ１３のＵＲＬやユーザの個人情報及び／又は識別情報のそれぞれに対して各情報を特定するための情報を付加したりすることによって、上記のプログラムは、受注用サーバ１３のＵＲＬやユーザの個人情報及び／又は識別情報をそれぞれ別々に抽出できるようになる。
【００４４】
なお、２次元バーコード５２によってコード化可能な情報の最大容量は約数キロバイト（２次元バーコード５２の方式や大きさ、解像度などに依存する）である。したがって、２次元バーコード５２内に格納するプログラムに関して、この最大容量を超えないようにプログラムの容量を調整する必要がある。
【００４５】
また、図４に示すように、例えば、受注用サーバ１３のＵＲＬがコード化された２次元バーコード５２ａと、ユーザの個人情報及び／又は識別情報がコード化された２次元バーコード５２ｂとをそれぞれ郵送用ラベル５１に印刷しておき、受注用サーバ１３にアクセスする段階では、受注用サーバ１３のＵＲＬがコード化された２次元バーコード５２ａをユーザに撮像させ、登録用ページにユーザの個人情報や識別情報を入力する段階では、ユーザの個人情報や識別情報がコード化された２次元バーコード５２ｂをユーザに撮像させるようにしてもよい。
【００４６】
また、２次元バーコード５２や２次元バーコード５２ｂにコード化する情報としては、例えば、ユーザの個人情報及び／又は識別情報を利用することが可能であるが、特に、ユーザの個人情報をコード化せずに識別情報のみをコード化することによって、個人情報が漏洩する危険を回避できるようにすることも可能である。すなわち、例えば、ユーザを識別する識別情報が引数として付加された受注用サーバ１３のＵＲＬに係る情報を２次元バーコード５２、５２ｂにコード化する。この場合には、ユーザの氏名や住所などの個人情報は２次元バーコード５２、５２ｂに格納されず、ユーザに関する情報としては、そのユーザを識別する識別情報のみが格納されることとなる。受注用サーバ１３は、携帯電話機１１から受信するＵＲＬに係る情報からユーザの識別情報を取得し、所定のデータベースを参照して、その識別情報に対応したユーザの個人情報を取得することができる。そして、この個人情報を携帯電話機１１に送信し、ユーザに個人情報の確認をしてもらうようにすることが可能である。
【００４７】
また、上述のオンライン登録によって、発注側のユーザは、携帯電話機１１を用いて通信販売に係る会員登録を行うとともに、受注用サーバ１３から、通信販売サービスにおいて商品の発注を行うための商品発注用プログラム４２をダウンロードする。この商品発注用プログラム４２は、携帯電話機１１のＣＰＵ３１により実行可能なものであり、携帯電話機１１のプログラム格納媒体４０に格納される。このプログラムの処理動作については、後述の図７を参照しながら詳細に説明する。
【００４８】
また、上述の説明では、本発明に係る通信販売に必要なユーザの個人情報の登録（会員登録）、及び、商品発注用プログラム４２の携帯電話機１１への格納の両方の初期設定動作を、通信ネットワーク１２を介して行う態様について説明したが、どちらか一方又は両方の初期設定動作を通信ネットワーク１２を介さずに行うことも可能である。
【００４９】
すなわち、ユーザの個人情報の登録に関しては、郵便を利用して書面で行われるようにすることも可能である。また、受注側から発注側に商品発注用プログラム４２を提供する方法としては、例えば、商品発注用プログラム４２を格納したメモリを発注側のユーザに配布又は郵送して、ユーザ各自にインストールしてもらったり、所定の店舗に設置されたプログラム配布用コンピュータから、携帯電話機１１に商品発注用プログラム４２を直接インストールしたりすることも可能である。
【００５０】
また、さらに、図３や図４に示す郵送用ラベル５１に印刷されている２次元バーコード５２、５２ａ、５２ｂに、商品発注用プログラム４２をコード化して含ませておくことも可能である。この場合には、発注側のユーザが、郵送用ラベル５１に印刷された２次元バーコード５２を撮像し、２次元バーコード５２としてコード化されている商品発注用プログラム４２が携帯電話機１１内に供給されてインストールされることとなる。なお、この場合も、２次元バーコード５２にコード化されるプログラムに関しては、２次元バーコード５２が格納可能な情報の最大容量を超えないようにプログラムの容量を調整する必要がある。
【００５１】
次に、受注側から発注側に対して配布される印刷物２１について説明する。この印刷物２１は、受注側で取り扱われている商品の一覧と共に２次元バーコード２２が印刷されたチラシやカタログなどであり、例えば、図５に図示されるものである。
【００５２】
図５は、本発明の実施の形態において用いられる印刷物の一例を示す図である。図５に図示されている印刷物２１は、通信販売用のカタログの中の１ページであり、このページには、３種類の衣服（ストレッチジャケット、ストレッチシャツ、カジュアルシャツ）が通信販売用の商品として掲載されている。これらの３種類の衣服の商品紹介の欄には、商品価格、色や素材、サイズなどの説明と共に、その衣服に対応したデータを含む２次元バーコード２２が掲載されている。なお、図５には図示されていないが、受注用サーバ１３にアクセスする際に必要となる受注用サーバ１３のＵＲＬを２次元バーコード２２にコード化して、印刷物２１に印刷しておくことも望ましい。
【００５３】
発注側のユーザは、これらの３種類の衣服に関して、自分の好みや体型などに応じて、それぞれ２種類の色又は色のパターン及び４つのサイズを選択することが可能である。すなわち、ストレッチジャケットに関しては、グレーと茶の２色及びＳ〜ＬＬの４つのサイズが選択でき、ストレッチシャツに関しては、ブルーとレッドの２色及びＳ〜ＬＬの４つのサイズが選択でき、カジュアルシャツに関しては、青／黄と赤／白の２つの色のパターン及びＳ〜ＬＬの４つのサイズが選択できる。
【００５４】
このように、３種類の衣服のそれぞれには２種類の色又は色のパターン及び４つのサイズが設定されているため、実際には、３種類の衣服のそれぞれに関して、２×４通りの組み合わせ（例えば、ストレッチジャケットの場合には（色，サイズ）＝（グレー，Ｓ）、（グレー，Ｍ）、（グレー，Ｌ）、（グレー，ＬＬ）、（茶，Ｓ）、（茶，Ｍ）、（茶，Ｌ）、（茶，ＬＬ）の８通りの組み合わせ）が存在している。したがって、各種類の衣服は更に分類化され、色又は色のパターン及びサイズを特定できるように識別番号が付される必要がある。図５の各衣服の商品紹介の欄に掲載されている２２３６や２２３７などの品番は、商品の衣服に加えて、衣服の色又は色のパターン及びサイズを特定する識別番号であり、この識別番号によって、実質的にユーザが発注を行う商品が完全に特定される。
【００５５】
従来の技術では、各品番に対応して、各商品にバーコード５０５を設定し、印刷する必要があった。すなわち、従来の技術では、例えば、３種類の衣服に対応したバーコード５０５を印刷物５０４に掲載する場合には、３種類の衣服のそれぞれに関して８通りの組み合わせが存在しているため、３×８＝２４個のバーコード５０５を印刷物５０４に掲載する必要があった。一方、本発明では、２次元バーコード２２にコード化する各衣服に関する情報を、下記に説明する図６に示すようなデータ構造とし、各衣服の種類に対応した２次元バーコード２２（すなわち、３種類の衣服が存在する場合には、３つの２次元バーコード２２）を印刷物２１に掲載するよう工夫している。これによって、バーコード印刷に係る紙面の節約及び印刷コストの節約を実現し、見やすいレイアウトを有する印刷物２１を実現することが可能となる。
【００５６】
図６は、本発明の実施の形態において用いられる印刷物に印刷された２次元バーコードに含まれるデータ構造を示す図である。図６には、印刷物２１を識別するための印刷物識別情報を格納する領域（識別情報領域６１）、商品の種別を特定する商品種別情報を格納する領域（商品種別領域６２）、後続の各商品を代表する情報を格納する領域（代表情報領域６３）、後続の各商品の繰り返し数を格納する領域（繰り返し数領域６４）、複数の商品のそれぞれに係る情報を格納する領域（商品情報領域６５）を有するデータ構造が図示されている。
【００５７】
識別情報領域６１には、例えば、カタログの号数などを識別するカタログ番号などの印刷物識別情報が格納される。また、商品種別領域６２には、衣服、生鮮食品などの商品の種別を特定する商品種別情報が格納される。なお、これらの印刷物識別情報や商品種別情報は、所定の対応表などを参照することによって、印刷物２１や商品の種別を特定することが可能な情報（例えば、カタログ発行年月日を示すカタログ番号『Ａ０３０９１２Ｙ』や、衣料品を示す情報『００１』などの数字及び記号の羅列）が格納される。
【００５８】
また、代表情報領域６３には、例えば、印刷物２１における商品情報の掲載ページ番号や、後続の領域に格納されている商品に共通する特徴などの情報が格納される。こうした情報は、後述のように、例えば、携帯電話機１１の表示画面に表示されるページのタイトルとして用いられる。また、繰り返し数領域６４には、２次元バーコード２２に含まれる商品の個数が格納される。
【００５９】
また、商品情報領域６５には、複数の商品のそれぞれに係る品番や商品名などの情報が格納される。なお、品番や商品名などの情報は、商品種別情報に応じた所定のルールに従って格納されることが望ましい。すなわち、例えば、商品種別情報が衣服の場合には、商品情報として、品番、商品名、色、サイズなどがそれぞれ所定のデータサイズ又は所定の順序で格納されることが望ましい。また、商品情報領域６５には、各商品に適した情報が格納されることが望ましく、例えば、商品が家具の場合にはその寸法が格納され、商品が洗剤の場合にはその内容量が格納されるようにすることが望ましい。
【００６０】
また、図７は、本発明の実施の形態において用いられる印刷物に印刷された２次元バーコードに含まれるデータの一例を示す図であり、図６に示すデータ構造を具体的に説明するものである。なお、図７には、図５に示す３種類の衣服のうちのカジュアルシャツに関する情報が示されている。この情報は、図５に示すカジュアルシャツに対応した２次元バーコード２２内に含まれる情報である。
【００６１】
図７では、識別情報領域６１にカタログ番号『Ａ０３０９１２Ｙ』が格納されており、商品種別領域６２に『００１』というテンプレートパターン番号が格納されている。上述のように、これらの番号は、印刷物２１や商品の種別を表す番号であり、所定の対応表を参照することによって、対応する印刷物２１や商品の種別に関する情報を容易に取得することが可能である。例えば、テンプレートパターン番号『００１』は商品の種別が衣料品である場合、テンプレートパターン番号『００２』は商品の種別が生鮮食品である場合にそれぞれ対応しており、このテンプレートパターン番号によって、後続の商品の種別と共に、複数の商品のそれぞれに係る情報を格納する領域内の情報の種類や順序などを宣言する情報として利用される。なお、所定の対応表は、商品発注用プログラム４２内に含まれており、商品発注用プログラム４２の起動によって、携帯電話機１１は、こうした対応関係を容易に取得できるようにすることが望ましい。
【００６２】
また、図７では、代表情報領域６３に『カジュアルシャツ』という情報が格納されており、繰り返し数領域６４には繰り返し数として『８』が格納されている。これらの情報は、後続の情報（商品情報領域内の複数の商品に係る情報）がカジュアルシャツに関連した情報であること、及び、カジュアルシャツに関連した８つの情報が格納されていることを表している。
【００６３】
また、図７では、商品情報領域６５に、カジュアルシャツの色のパターン及びサイズのすべての組み合わせのそれぞれに対応した情報が格納されている。具体的には、（色のパターン，サイズ）＝（青／黄，Ｓ）のカジュアルシャツの品番『３２３４』と色のパターン及びサイズに関する情報、（色のパターン，サイズ）＝（青／黄，Ｍ）のカジュアルシャツの品番『３２３５』と色のパターン及びサイズに関する情報、（色のパターン，サイズ）＝（青／黄，Ｌ）のカジュアルシャツの品番『３２３６』と色のパターン及びサイズに関する情報、（色のパターン，サイズ）＝（青／黄，ＬＬ）のカジュアルシャツの品番『３２３７』と色のパターン及びサイズに関する情報、（色のパターン，サイズ）＝（赤／白，Ｓ）のカジュアルシャツの品番『３３３８』と色のパターン及びサイズに関する情報、（色のパターン，サイズ）＝（赤／白，Ｍ）のカジュアルシャツの品番『３３３９』と色のパターン及びサイズに関する情報、（色のパターン，サイズ）＝（赤／白，Ｌ）のカジュアルシャツの品番『３３４０』と色のパターン及びサイズに関する情報、（色のパターン，サイズ）＝（赤／白，ＬＬ）のカジュアルシャツの品番『３３４１』と色のパターン及びサイズに関する情報が格納されている。
【００６４】
＜商品受発注段階＞
次に、発注側のユーザが、印刷物２１に掲載されている商品の中から所望の商品を選択し、受注側に対して所望の商品を注文する商品受発注段階について説明する。なお、以下では、上記の初期登録段階を経て、発注側の会員登録及び携帯電話機１１への商品発注用プログラム４２のインストールがすでに完了しているものとする。
【００６５】
商品受発注段階では、発注側のユーザが、発注を希望する所望の商品を選択し、携帯電話機１１を用いて印刷物２１に印刷されている２次元バーコードを撮像して、所望の商品に係る情報を取り込んで、受注用サーバ１３に対して通信ネットワーク１２を介して発注を行う。
【００６６】
以下、図８及び図９を参照しながら、携帯電話機１１における処理、及び、携帯電話機１１の主要な処理時における表示画面について説明する。図８は、本発明の実施の形態における携帯電話機の処理を示すフローチャートであり、図９は、図８に示す携帯電話機の処理の主要なステップにおける表示画面を示す模式図である。
【００６７】
まず、発注側のユーザは、印刷物２１の写真や文章などを閲覧しながら発注を行う所望の商品を決定するとともに、携帯電話機１１を操作し、商品発注用プログラム４２を起動する（例えば、Ｊａｖａ（Ｒ）アプリの起動）。この操作によって、携帯電話機１１は、商品発注用プログラム４２を実行し、商品購入選択用ページを表示する（ステップＳ１０１：商品購入選択用ページの表示）。
【００６８】
また、ステップＳ１０１の処理において、図９（ａ）に示すように表示画面上には、商品購入選択用ページの表示画面が表示される。この商品購入選択用ページには、発注商品を登録するための複数の欄（初期画面は商品未登録の表示）が設けられており、この後に行われる一連の処理によって、複数の欄のそれぞれに発注商品が登録されることとなる。
【００６９】
発注側のユーザは、発注商品を登録するための複数の欄のうちの任意の欄を選択（クリック）した場合、携帯電話機１１は撮像機能を起動し、２次元バーコード２２の撮像が可能な状態となる。そして、所望の商品に係る情報が含まれている印刷物２１上の２次元バーコード２２が撮像された場合（ステップＳ１０３：２次元バーコードの撮像）、携帯電話機１１は、バーコード解析用プログラム４１を起動し、２次元バーコード２２のコード解析を行うとともに、さらに、解析された情報の復号処理（デコード処理）を行う（ステップＳ１０５：コード解析／復号処理）。このステップＳ１０５における携帯電話機１１の表示画面は、図９（ｂ）に示すようになる。
【００７０】
なお、上記の復号処理は、受注側における２次元バーコード２２の作成時に、２次元バーコード２２にコード化される情報をあらかじめ暗号化した場合に必要な処理であり、この復号処理を行うための復号処理用プログラムは、商品発注用プログラム４２内に含まれている。こうした２次元バーコード２２内に格納する情報の暗号化によって、通常のバーコード認識機能では意味のある情報（復号後の情報）を取り込むことができず、情報の悪用を困難にするという効果を有している。なお、商品発注用プログラム４２内の復号処理用プログラムのみで２次元バーコードにコード化された情報の復号が可能となるように、独自の暗復号鍵又は独自の暗号化方式を採用することが望ましい。
【００７１】
ステップＳ１０５におけるコード解析／復号処理後、携帯電話機１１には、図６に示すデータ構造を有し、図７に示すようにデータが配列された商品に係る情報が取り込まれる。なお、ここでは、発注側のユーザは、カジュアルシャツを発注商品として登録しようとしており、図５に示す印刷物２１上のカジュアルシャツに対応した２次元バーコード２２を撮像したものとする。
【００７２】
このようにして携帯電話機１１に取り込まれた商品に係る情報に基づいて、携帯電話機１１は、商品注文用ページを作成して表示画面上に表示する（ステップＳ１０７：商品注文用ページの作成／表示）。商品注文用ページは、例えば、商品注文用ページ用の雛型ページ（テンプレートページ）の所定の箇所に、商品を代表する情報や複数の商品のそれぞれに係る情報が配置されることによって作成される。
【００７３】
この商品注文用ページの特徴は、１つのページ上で複数の商品の中から所望の商品を選択できるように表示する点にある。すなわち、図９（ｃ）に示す商品注文用ページのように、カジュアルシャツの色のパターン及びサイズに係るすべての組み合わせが、例えば、プルダウン方式によって表示され、選択できるようになっている。なお、発注側のユーザは、複数の商品の中から所望の商品を選択することができ（図９（ｃ）や図９（ｄ）では、青／黄Ｓサイズを選択している）、さらに、図９（ｄ）に示すように、発注個数もプルダウン方式によって選択することができる。
【００７４】
そして、例えば、表示画面内の確定ボタンを選択することによって、発注商品及び発注個数が確定し、発注商品に係る情報が、例えば、ＲＡＭ３２などに保存される（ステップＳ１０９：発注商品に係る情報の保存）。また、このとき同時に、商品購入選択用ページに設けられた複数の欄の１つに、発注商品が登録され表示された発注用ページが作成されて、図９（ｅ）に示すように、表示画面に表示される（ステップＳ１１１：発注用ページの作成／表示）。
【００７５】
なお、ここではプルダウン方式によって複数の商品を表示して選択できるようにしているが、例えば、チェックボックス方式やラジオボタン方式などの他の方式を採用することによっても、ユーザの選択操作が簡単に行える表示を実現できる。また、ここでは、プルダウン方式によって表示された複数の商品の中から、１つの商品のみを選択した場合について説明を行っているが、例えば、「カジュアルシャツの青／黄Ｓサイズを１枚」、及び、「カジュアルシャツの赤／白ＬＬサイズを２枚」などのように、複数の商品を選択し、発注商品として登録できるようにすることも可能である。
【００７６】
また、発注用ページの複数の欄のうち、発注商品が登録されていない欄を選択することによって、別の商品を更に登録することが可能である。発注側のユーザが別の商品の登録を行う場合（ステップＳ１１３：別の発注商品有り？で『はい』）には、再度、別の商品に関して、ステップＳ１０３以降の処理が行われる。なお、この場合、発注側のユーザは、別の２次元バーコード２２を撮像し、異なる商品に係る情報を携帯電話機１１内に取り込んで発注商品として登録を行うが、この動作によって、その前に登録した発注商品に関する情報が削除されないようにすることが望ましい。すなわち、一度登録した発注商品に関しては、ユーザが意図的にキャンセルしない限り、発注商品として保持されることが望ましい。
【００７７】
一方、ユーザによって発注を希望するすべての商品が登録された場合（ステップＳ１１３：別の発注商品有り？で『いいえ』）には、発注側のユーザは、例えば、発注用ページ（図９（ｅ）の表示画面）内の確定ボタンを選択する。このとき、携帯電話機１１の表示画面には、図９（ｆ）に示す最終確認用ページが表示される（ステップＳ１１５：最終確認用ページの表示）。なお、図９（ｆ）に示す最終確認用ページでは、３種類の発注商品（カジュアルシャツの青／黄Ｓサイズが１枚、ストレッチジャケットのグレーＳサイズが１枚、ストレッチシャツのレッドＳサイズが１枚）が発注商品として登録されている。
【００７８】
そして、発注側のユーザは、最終確認用ページに表示されている確定ボタンを選択することによって、受注側に対して発注商品を送信するよう携帯電話機１１に指示を行う。これにより、携帯電話機１１は、通信ネットワーク１２を介して受注用サーバ１３に対して、発注商品に係る情報（ここでは、３種類の発注商品に係る情報）を送信する（ステップＳ１１７：発注商品に係る情報を受注用サーバ１３に送信）とともに、受注の完了を通知する情報（受注完了通知情報）、又は、何らかのエラーメッセージを受注用サーバ１３から受信するまで待機状態となり、待機状態である旨を通知する発注処理中通知用ページ（例えば、図９（ｇ）に示す表示画面）を表示画面に表示する（ステップＳ１１９：発注処理中通知用ページの表示）。
【００７９】
そして、受注用サーバ１３において発注商品の受注が完了して、携帯電話機１１が、受注用サーバ１３から受注完了通知情報を受信した場合（ステップＳ１２１：受注完了通知情報の受信）には、受注用サーバ１３によって受注が完了した旨をユーザに通知する受注完了通知用ページ（例えば、図９（ｈ）に示す表示画面）を表示画面に表示する（ステップＳ１２３：受注完了通知用ページの表示）。
【００８０】
また、上述の図８のフローチャートを用いた説明では、主に携帯電話機１１に係る処理動作に関して言及したが、商品受発注システム全体の処理動作は、図１０に示すものとなる。図１０は、本発明の実施の形態における商品受発注システムの動作を示すシーケンスチャートである。
【００８１】
図１０に示す携帯電話機１１における発注処理は、図８に示すステップＳ１０１〜Ｓ１１５の処理動作に対応している。すなわち、発注処理において、発注側のユーザによって、商品の選択が行われる。そして、受注用サーバ１３は、発注商品に係る情報を携帯電話機１１から受信した場合（図８中のステップＳ１１７に対応）、携帯電話機１１から受信した発注商品に係る情報に基づいて、発注された商品の情報を発注商品一覧情報として通販会社サーバ１４に送信する（ステップＳ１５１）とともに、そのユーザのクレジットカード番号や決済の対価などの決済情報を金融機関サーバ１５に対して送信する（ステップＳ１５３）。
【００８２】
これらの発注情報一覧情報や決済情報を受信した通販会社サーバ１４及び金融機関サーバ１５は、それぞれ受信が行われた旨を示す受信確認情報を受注用サーバ１３に対して返信する（ステップＳ１５５：受信確認情報を送信、ステップＳ１５７：受信確認情報を送信）。なお、通販会社サーバ１４は、在庫の確認を行って発注商品の発送の可否などの情報を受信確認情報に含ませることが可能であり、また、金融機関サーバ１５は、発注商品の対価に係る決済の可否などの情報を受信確認情報に含ませることが可能である。そして、受注用サーバ１３は、通販会社サーバ１４及び金融機関サーバ１５のそれぞれの間で所定の処理を完了し、携帯電話機１１に対して受注が完了した旨を通知する受注完了通知情報を携帯電話機１１に送信する（図８中のステップＳ１２１に対応）。
【００８３】
携帯電話機１１は、受注用サーバ１３に対して発注商品に係る情報を送信した後、待機状態となるが（ステップＳ１１９に対応）、受注用サーバ１３から受注完了通知情報を受信すると、発注側のユーザに対して受注の完了を通知する受注通知処理（ステップＳ１２３に対応）を行って、商品受発注システムにおける商品受発注処理が完了となる。
【００８４】
上述の図８のフローチャート及び図１０のシーケンスチャートを用いた説明から分かるように、本発明は、ステップＳ１０１〜Ｓ１１５の処理動作によって、オフライン状態（通信ネットワーク１２を介して受注用サーバ１３と通信を行わない状態）で、複数の発注商品に係る情報を作成し、ステップＳ１１７において、複数の発注商品に係る情報を１回の送信によって、受注用サーバ１３に送信できることが特徴として挙げられる。
【００８５】
上記の本発明の特徴は、複数の商品の情報を含む２次元バーコード２２を処理し、発注商品に係る情報を携帯電話機１１内に蓄積することを可能とする商品発注用プログラム４２が携帯電話機１１にインストールされていることによって実現される。これにより、発注側と受注側との間で複数回の情報の送受信が行われて（図１５中のステップＳ５２９〜Ｓ５３５の繰り返し）、処理の負荷や通信料などが増大してしまうという従来の問題点が改善され、発注側及び受注側の両方にとって有用なシステムが構築される。
【００８６】
また、上述の説明では、図５に示すように、印刷物（カタログ）２１の１ページに３種類の衣服に関する３つの２次元バーコード２２が印刷されている場合を一例に挙げて説明したが、１ページに掲載されているすべての商品に関する情報を１つの２次元バーコード２２に収めるようにすることも可能である。
【００８７】
以下、図１１〜図１３を参照しながら、１ページに掲載されているすべての商品に関する情報が、１つの２次元バーコード２２に収められている態様について説明する。図１１は、本発明の実施の形態において用いられる印刷物の別の一例を示す図であり、図１２は、図１１の右下に図示されている２次元バーコードに含まれるデータの一例を示す図である。
【００８８】
図１１に図示されている印刷物２１は、通信販売用のカタログの中の１ページであり、このページには、７つの商品（神戸牛ロースステーキ、神戸牛ヒレステーキ、山形牛ローストビーフ、野付漁協産ほたて、北海道毛がに、米沢郷鶏照り焼き、長野産じゃがいも）が通信販売用の商品として掲載されている。これらの７つの商品紹介の欄には、商品価格、広告文、品番などの説明が掲載されており、さらに、この７つの商品すべてのデータを含む２次元バーコード２２が掲載されている（図１１の右下に図示されている）。
【００８９】
この７つの商品すべてのデータを含む２次元バーコード２２は、図６に示されているデータ構造と同一の設定を有しており、図１２に示す具体的なデータが格納されている。図１２では、識別情報領域６１にカタログ番号『Ａ０３０９１２Ｇ』が格納されており、商品種別領域６２に、生鮮食品を表す『００２』というテンプレートパターン番号が格納されている。
【００９０】
また、図１２では、代表情報領域６３に、後続の商品に共通したカテゴリを示す『生鮮食品』という情報が格納されており、繰り返し数領域６４には繰り返し数として『７』が格納されている。これらの情報は、後続の情報（商品情報領域６５内の情報）が生鮮食品に関連した情報であること、及び、生鮮食品に関連した７つの商品の情報が格納されていることを表している。
【００９１】
また、図１２では、商品情報領域６５に、図１１に示すカタログの１ページに掲載されている各商品の品番及び商品名称が格納されている。具体的には、品番『４２７』及び商品名称『神戸牛ロースステーキ』、品番『４２８』及び商品名称『神戸牛ヒレステーキ』、品番『４２９』及び商品名称『山形牛ローストビーフ』、品番『５１１』及び商品名称『野付漁協産ほたて』、品番『５１２』及び商品名称『北海道毛がに』、品番『４３１』及び商品名称『米沢郷鶏照り焼き』、品番『６２１』及び商品名称『長野産じゃがいも』が格納されている。
【００９２】
また、図１３は、図１２に示すデータがコード化された２次元バーコードを読み取った場合の携帯電話機の処理の主要なステップにおける表示画面を示す模式図である。携帯電話機１１における発注商品の登録方法は、基本的には、図７に示すデータがコード化された２次元バーコード２２を読み取った場合と同一であるが、特に、商品注文用ページ、発注用ページ、最終確認用ページの表示画面において、図１２に示される具体的なデータが反映されている。
【００９３】
図１３（ａ）及び図１３（ｂ）は、図１２に示す具体的なデータ（生鮮食品のデータ）における、図９（ｃ）及び図９（ｄ）に対応した商品注文用ページの表示画面であり、図１３（ｃ）は、図１２に示す具体的なデータ（生鮮食品のデータ）における、図９（ｅ）に対応した発注用ページの表示画面であり、図１３（ｄ）は、図１２に示す具体的なデータ（生鮮食品のデータ）における、図９（ｆ）に対応した最終確認用ページの表示画面である。
【００９４】
図１３（ａ）及び図１３（ｂ）に図示されている商品注文用ページでは、代表情報領域６３に格納されている情報（各商品を代表する情報）である『生鮮食品』が商品注文用ページ内に表示され、さらに、各生鮮食品の情報がプルダウン方式によって表示されることとなる。また、図１３（ｃ）に図示されている発注用ページや図１３（ｄ）に図示されている最終確認用ページは、商品注文用ページにおいて登録された発注商品に係る情報が表示される。
【００９５】
なお、図１１〜図１３を用いて説明した場合と同様に、複数のページに掲載されているすべての商品に関する情報を１つの２次元バーコード２２に収めることも可能であり、さらには、印刷物２１が１冊のカタログのような場合に、１冊のカタログに掲載されているすべての商品に関する情報を１つの２次元バーコード２２に収めることも可能である。
【００９６】
また、上述の実施の形態では、発注側のユーザが取り扱う発注用端末として、２次元バーコード読み取り機能を有する携帯電話機１１を一例として挙げたが、２次元バーコード読み取り機能を有するＰＤＡ、ＰＣ、当該商品受発注システム用に開発された専用端末を発注用端末として利用することも可能である。
【００９７】
また、上述の実施の形態では、商品に関する情報やオンライン登録用のサーバ（登録用サーバ）のＵＲＬなどを２次元バーコード２２、５２、５２ａ、５２ｂに格納しているが、無線ＩＤ技術（ＲＦ−ＩＤ技術とも呼ばれる）やホログラム技術を利用し、例えば、無線ＩＤチップやホログラムに商品に関する情報を格納して、これらの無線ＩＤチップやホログラムを印刷物２１上に設けるようにすることも可能である。なお、無線ＩＤチップやホログラムを用いた場合でも基本的な動作は、上述の実施の形態における説明と同一であり、２次元バーコード２２、５２、５２ａ、５２ｂを無線ＩＤチップやホログラムに読み換え、無線ＩＤチップ内やホログラム内の情報を読み取るためのリーダを携帯電話機１１に設けることによって実現される。
【００９８】
特に、上記の無線ＩＤチップは、超小型のＩＣチップの周りにコイル状のアンテナを設けて、近距離通信（通常、数十センチメートルから数メートルの距離）によってＩＣチップ内の情報を送信できる構成を有しており、特定の電磁波を感応することによって発電し、その電力を使用して内部に格納されている情報を発信することが可能である。したがって、無線ＩＤチップに電源を設ける必要はなく、印刷物２１に設ける情報格納媒体として、非常に適したものであると言える。
【００９９】
また、２次元バーコードには、ＱＲ（Quick Response）コード、データマトリクスコード、ＰＤＦ４１７、マキシコード、ベリコードなどの様々な方式が存在しており、いずれの方式も、２次元平面上に、明（白）と暗（黒）の領域を配列することによって、水平及び垂直の両方向に情報を持たせることが可能である。本発明は、これらの２次元バーコードの様々な方式のうちの任意の方式を利用することが可能である。
【産業上の利用可能性】
【０１００】
本発明に係る発注用端末、商品発注用プログラム、受注用サーバ、商品受発注システム並びに印刷物は、発注側のユーザがカタログやチラシなどの印刷物に印刷された商品情報を参照しながら、通信ネットワークを介して、受注側に対して所望の発注商品を発注する際に、発注側にとっては利便性の向上及び無駄な通信費の削減を実現し、受注側にとっては印刷物上に商品情報を効率よく掲載することが可能となるとともに、処理の負荷の軽減を実現するという効果を有しており、通信ネットワークを介した通信販売などの分野に適用可能である。
【図面の簡単な説明】
【０１０１】
【図１】本発明の実施の形態における商品受発注システムの概要を示す図
【図２】本発明の実施の形態における携帯電話機の構成を示す図
【図３】本発明の実施の形態において用いられる郵送用ラベルの一例を示す図
【図４】本発明の実施の形態において用いられる郵送用ラベルの別の一例を示す図
【図５】本発明の実施の形態において用いられる印刷物の一例を示す図
【図６】本発明の実施の形態において用いられる印刷物に印刷された２次元バーコードに含まれるデータ構造を示す図
【図７】本発明の実施の形態において用いられる印刷物に印刷された２次元バーコードに含まれるデータの一例を示す図
【図８】本発明の実施の形態における携帯電話機の処理を示すフローチャート
【図９】図８に示す携帯電話機の処理の主要なステップにおける表示画面を示す模式図  （ａ）商品購入選択用ページの表示画面  （ｂ）コード解析／復号処理時の表示画面  （ｃ）商品注文用ページの表示画面（商品の種別の指定時）  （ｄ）商品注文用ページの表示画面（発注個数の指定時）  （ｅ）発注用ページの表示画面  （ｆ）最終確認用ページの表示画面  （ｇ）発注処理中通知用ページの表示画面  （ｈ）受注完了通知用ページの表示画面
【図１０】本発明の実施の形態における商品受発注システムの動作を示すシーケンスチャート
【図１１】本発明の実施の形態において用いられる印刷物の別の一例を示す図
【図１２】図１１の右下に図示されている２次元バーコードに含まれるデータの一例を示す図
【図１３】図１２に示すデータがコード化された２次元バーコードを読み取った場合の携帯電話機の処理の主要なステップにおける表示画面を示す模式図  （ａ）商品注文用ページの表示画面（商品の種別の指定時）  （ｂ）商品注文用ページの表示画面（個数の指定時）  （ｃ）発注用ページの表示画面  （ｄ）最終確認用ページの表示画面
【図１４】従来の技術における通信販売システムの概要を示す図
【図１５】図１４に示す通信販売システムの動作の一例を示すシーケンスチャート
【符号の説明】
【０１０２】
１１、５０１  携帯電話機（発注用端末、バーコードリーダ）
１２、５０２  通信ネットワーク
１３、５０３  受注用サーバ
１４  通販会社サーバ
１５  金融機関サーバ
１６  印刷会社
２１、５０４  印刷物
２２、５２、５２ａ、５２ｂ  ２次元バーコード
３１  ＣＰＵ
３２  ＲＡＭ
３３  ＲＯＭ
３４  表示部
３５  操作部
３６  通信部
３７  撮像部
３８  音声入力部
３９  音声出力部
４０  プログラム格納媒体
４１  バーコード解析用プログラム
４２  商品発注用プログラム
５０  内部バス
５１  郵送用ラベル
６１  識別情報領域
６２  商品種別領域
６３  代表情報領域
６４  繰り返し数領域
６５  商品情報領域
５０５  バーコード
【図１】
2005234985.tif 000003
【図２】
2005234985.tif 000004
【図３】
2005234985.tif 000005
【図４】
2005234985.tif 000006
【図５】
2005234985.tif 000007
【図６】
2005234985.tif 000008
【図７】
2005234985.tif 000009
【図８】
2005234985.tif 000010
【図９】
2005234985.tif 000011
【図１０】
2005234985.tif 000012
【図１１】
2005234985.tif 000013
【図１２】
2005234985.tif 000014
【図１３】
2005234985.tif 000015
【図１４】
2005234985.tif 000016
【図１５】
2005234985.tif 000017